(57)【要約】【課題】表示装置において、映像ストリームの入力元の外部機器を切り換える際に、切り換え後の映像を迅速に表示する。【解決手段】ＴＶ受像機１と、ＢＤレコーダ４ａ〜４ｄとは、ＨＤＭＩケーブル３ａ〜３ｄを介して接続される。ＢＤレコーダ４ｂの映像の表示に切換えるとき、メインマイコン１０が、映像処理マイコン２１に対して、ＨＤＭＩポート１８ｂに切り換える旨の切換信号を送信し、映像処理マイコン２１は、入力元をＨＤＭＩポート１８ｂに切り換えると共に、この切り換えを行っている間、黒画面の映像の映像ストリームをメインマイコン１０に入力する処理を並行して行う。そして、映像処理マイコン２１は、入力元をＨＤＭＩポート１８ｂに切り換えると、入力された映像ストリームを解像度Ｄに変換してメインマイコン１０に入力する。メインマイコン１０は、変換後の統一した解像度Ｄの映像ストリームに基づく映像をディスプレイ１３に出力する。【選択図】図３
2012222802.tif 000002
【特許請求の範囲】
【請求項１】
映像を表示する表示手段と、
複数の外部機器の各々から映像ストリームを入力可能な複数の外部接続手段と、
前記表示手段に表示する映像に対応した映像ストリームの入力元の外部機器の切換操作を行うための切換操作手段と、
前記切換操作手段を用いたユーザによる切換操作に応じて、前記入力元の外部機器を切り換え、切り換え後の入力元の外部機器から入力された映像ストリームに基づく映像信号を前記表示手段に出力するメイン制御手段とを備える表示装置において、
前記複数の外部機器の各々から前記複数の外部接続手段の各々を介して入力された映像ストリームの解像度を、所定の統一した解像度に変換する一つの解像度変換手段をさらに備え、
前記メイン制御手段は、前記一つの解像度変換手段による変換後の統一した解像度の映像ストリームに基づく映像信号を受信して前記表示手段に出力することを特徴とする表示装置。
【請求項２】
装置の起動完了後の通常動作時に、前記複数の外部機器の各々の認証を常時行う複数の認証手段をさらに備え、
前記一つの解像度変換手段は、前記認証手段による認証処理後において前記複数の外部機器の各々から入力された映像ストリームの解像度を変換することを特徴とする請求項１に記載の表示装置。
【請求項３】
前記複数の外部接続手段の各々は、前記複数の外部機器の各々からデジタル信号の形式の映像ストリームを入力可能であることを特徴とする請求項１又は請求項２に記載の表示装置。
【請求項４】
前記複数の外部接続手段の各々は、前記複数の外部機器の各々から、ＨＤＭＩ規格に準拠したデジタル映像信号の形式の映像ストリームを入力可能であることを特徴とする請求項１乃至３のいずれか一項に記載の表示装置。
【発明の詳細な説明】
【技術分野】
【０００１】
本発明は、外部機器から入力された映像ストリームに基づく映像を表示可能な表示装置に関する。
【背景技術】
【０００２】
近年、高画質の映像を表示可能なテレビジョン（以下、ＴＶという）受信機が普及している。この種のＴＶ受像機では、映像の高画質化により映像データのデータ量が増加しているため、ブルーレイディスク（以下、ＢＤという）レコーダ等から大容量の映像データを送信可能なＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に対応しているものが多い。
【０００３】
上述したＴＶ受像機として、図５に示すように、ディスプレイ１１１と、スピーカ１２１と、３つのＨＤＭＩポート１３１ａ〜１３１ｃとを備えるＴＶ受像機１０１が知られている。このＴＶ受像機１０１では、ＨＤＭＩケーブル３０１ａ〜３０１ｃを介してＨＤＭＩポート１３１ａ〜１３１ｃのそれぞれに、ＢＤレコーダ２０１ａ〜２０１ｃが接続されている。ＴＶ受像機１０１は、映像の入力元のＢＤレコーダ２０１ａ〜２０１ｃを切り換えるための切換操作に応じて、映像の入力元をＨＤＭＩポート１３１ａ〜１３１ｃのいずれかに切り換える。例えば、ユーザによってＢＤレコーダ２０１ｂの映像を表示するように切換操作が行われた場合、ＴＶ受像機１０１は、１３１ｂに入力された映像ストリームに基づく映像及び音声をディスプレイ１１１及びスピーカ１２１に出力するように制御処理を行う。
【０００４】
ところで、このＴＶ受像機１０１では、例えば、ユーザによって映像ストリームの入力元をＨＤＭＩポート１３１ａからＨＤＭＩポート１３１ｂに切り換る切換操作が行われた時から、ＢＤレコーダ２０１ｂの映像がディスプレイ１１１に表示されるまでの時間（以下、切換時間という）が長いという問題がある。これは、ＨＤＭＩポート１３１ａ〜１３１ｃの切り換えを行う際に、著作権を保護するためのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）認証処理等を行う必要があるためである。これに対して、ＨＤＣＰ認証処理のアルゴリズムを改良する等のチューニングを行うことにより、切換時間を短くする方法が知られているが、この方法では、切換時間を十分に短くできない。
【０００５】
これに対して、特許文献１には、フォーマット変換器が入力解像度を固定化された出力解像度に合わせて解像度変換し、ＨＤＭＩ出力器が第２のクロック生成器から供給される第３のクロック信号に従ってＨＤＭＩ信号の出力動作を行うビデオ・オーディオ出力装置が開示されている。しかしながら、このビデオ・オーディオ出力装置では、切換時間を十分に短くすることができないため、上記問題を解決できない。
【０００６】
また、特許文献２には、第１乃至第４入力端子と第１及び第２出力端子とを有し、いずれかの入力端子から入力されたＨＤＭＩ規格に準拠するＨＤＭＩ信号がいずれかの出力端子から選択的に出力されるクロスポイントスイッチと、ＨＤＭＩ信号を加工処理するためのスケーラとを備え、ソース機器から出力されるＨＤＭＩ信号を、スケーラによって、適当な信号形態に加工処理してシンク機器に出力することができる信号入出力装置が開示されている。しかしながら、この信号入出力装置であっても、上記問題を解決できない。
【０００７】
また、特許文献３には、出力端子に接続されるディスプレイ装置が特定の解像度のみに対応可能である場合、出力設定解像度を特定解像度に設定することにより、特定解像度の画像データをディスプレイ装置に出力することができ、選択される入力端子および出力端子に応じて最適な処理解像度を自動的に決定する画像処理装置が開示されている。しかしながら、この画像処理装置であっても、上記問題を解決できない。
【先行技術文献】
【特許文献】
【０００８】
【特許文献１】特開２００９−１００４５６号公報
【特許文献２】特開２０１０−１６５１５号公報
【特許文献３】特開２０１０−４４６７号公報
【発明の概要】
【発明が解決しようとする課題】
【０００９】
本発明は、上述した問題点を解決するためになされたものであり、映像ストリームの入力元の外部機器を切り換える際に、切り換え後の外部機器から入力された映像ストリームに基づく映像を迅速に表示することが可能な表示装置を提供することを目的とする。
【課題を解決するための手段】
【００１０】
上記目的を達成するために請求項１の発明は、映像を表示する表示手段と、複数の外部機器の各々から映像ストリームを入力可能な複数の外部接続手段と、前記表示手段に表示する映像に対応した映像ストリームの入力元の外部機器の切換操作を行うための切換操作手段と、前記切換操作手段を用いたユーザによる切換操作に応じて、前記入力元の外部機器を切り換え、切り換え後の入力元の外部機器から入力された映像ストリームに基づく映像信号を前記表示手段に出力するメイン制御手段とを備える表示装置において、前記複数の外部機器の各々から前記複数の外部接続手段の各々を介して入力された映像ストリームの解像度を、所定の統一した解像度に変換する一つの解像度変換手段をさらに備え、前記メイン制御手段は、前記一つの解像度変換手段による変換後の統一した解像度の映像ストリームに基づく映像信号を受信して前記表示手段に出力するものである。
【００１１】
また、請求項２の発明は、請求項１に記載の表示装置において、装置の起動完了後の通常動作時に、前記複数の外部機器の各々の認証を常時行う複数の認証手段をさらに備え、前記一つの解像度変換手段は、前記認証手段による認証処理後において前記複数の外部機器の各々から入力された映像ストリームの解像度を変換するものである。
【００１２】
また、請求項３の発明は、請求項１又は２に記載の表示装置において、前記複数の外部接続手段の各々は、前記複数の外部機器の各々からデジタル信号の形式の映像ストリームを入力可能であるものである。
【００１３】
また、請求項４の発明は、請求項１乃至３のいずれか一項に記載の表示装置において、前記複数の外部接続手段の各々は、前記複数の外部機器の各々から、ＨＤＭＩ規格に準拠したデジタル映像信号の形式の映像ストリームを入力可能である。
【発明の効果】
【００１４】
請求項１の発明によれば、メイン制御手段は、一つの解像度変換手段によって所定の統一した解像度に変換された映像ストリームに基づく映像信号を受信して表示手段に出力する。そのため、メイン制御手段は、入力元の外部機器を切り換える際であっても、異なる映像ストリームを受信せず、１つの解像度変換手段によって変換された１本の映像ストリームを常に受信するので、入力元の映像ストリームの切換時に必要となる映像ストリームの同期を取る処理を行う必要がなくなる。また、メイン制御手段は、入力元の外部機器を切り換える際に、解像度を変換する処理を行う必要もなくなる。従って、映像ストリームの入力元の外部機器を切り換える際に、切り換え後の映像を表示手段に迅速に表示することができ、切換時間を十分に短くすることができる。
【００１５】
請求項２の発明によれば、複数の認証手段は、装置の起動完了後の通常動作時に、複数の外部機器の各々の認証を常時行う。そして、一つの解像度変換手段は、認証手段による認証処理後において複数の外部機器の各々から入力された映像ストリームの解像度を変換する。そのため、従来のように、映像ストリームの入力元の外部機器の切換が行われた時点から認証処理を開始する場合と異なり、映像ストリームの入力元の外部機器を切り換える際において、認証処理が不要となり、切換後の映像を表示手段に迅速に表示することができ、切換時間を十分に短くすることができる。
【図面の簡単な説明】
【００１６】
【図１】本発明の一実施形態に係るＴＶ受像機の内部構成を示すブロック図。
【図２】上記ＴＶ受像機における映像切換処理の手順を示すフローチャート。
【図３】上記ＴＶ受像機に入力された映像ストリームの処理を説明するための説明図。
【図４】上記映像切換処理における映像ストリームを説明するための説明図。
【図５】従来のＴＶ受像機の内部構成を示すブロック図。
【発明を実施するための形態】
【００１７】
以下、本発明の一実施形態に係るテレビジョン（以下、ＴＶ）受信機（請求項における表示装置）について、図１を参照して説明する。図１は、複数のＢＤ（ブルーレイディスク）レコーダ（外部機器）４ａ〜４ｄが接続されたＴＶ受像機１の概略構成を示す。
【００１８】
ＴＶ受像機１と、複数のＢＤレコーダ４ａ〜４ｄとは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３ａ〜３ｄを介して相互に接続されている。ＴＶ受像機１、及び複数のＢＤレコーダ４ａ〜４ｄは、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。ＢＤレコーダ４ａ〜４ｄは、記録したコンテンツを再生可能であり、再生したコンテンツの映像及び音声を、ＨＤＭＩケーブル３ａ〜３ｄを介してＴＶ受像機１に入力する。具体的には、複数のＢＤレコーダ４ａ〜４ｄの各々は、映像信号及び音声信号を含むデジタル信号形式の映像ストリームをＴＶ受像機１に入力する。複数のＢＤレコーダ４ａ〜４ｄから入力される映像ストリームは、高解像度のデジタル映像信号が不正にコピーされるのを防止するための著作権保護機能であるＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）技術を用いたものである。
【００１９】
ＴＶ受像機１は、アンテナ１１に接続され、デジタル放送信号を受信するチューナ部１２と、映像を表示するディスプレイ（表示手段）１３と、音声を出力するスピーカ１４と、リモコン２から送信されるリモコン信号を受信するリモコン信号受信部１５と、各種情報を記憶したメモリ１６と、入力切換ボタン（切換操作手段）１７とを備える。また、ＴＶ受像機１は、ＨＤＭＩ規格に対応した外部機器を接続するための４つのＨＤＭＩポート（外部接続手段）１８ａ〜１８ｄと、４つのサブマイコン１９ａ〜１９ｄと、一つの映像処理マイコン（解像度変換手段）２１と、装置各部を制御するためのメインマイコン（メイン制御手段）１０とをさらに備える。
【００２０】
リモコン２は、複数のボタンを有し、ユーザによってボタンが操作されると各種動作指示をＴＶ受像機１に対して行う。具体的には例えば、ＴＶ受像機１の電源のオン／オフを指示する。また、ディスプレイ１３に表示する映像の切換操作、すなわち、映像ストリームの入力元のＨＤＭＩポート１８ａ〜１８ｄの切換操作等を行うことができる。
【００２１】
チューナ部１２は、デコーダ部１２ａを有し、アンテナ１１を介して、放送局から配信される各チャンネルのデジタル放送信号を受信して、このデジタル放送信号に対して復調処理等を行い、映像信号及び音声信号をメインマイコン１０に出力する。
【００２２】
デコーダ部１２ａは、受信したデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２３】
映像デコード回路は、映像信号を含むＴＳパケットに対して復号化処理を行い、映像信号を抽出し、抽出した映像信号をメインマイコン１０に出力する。音声デコード回路は、音声信号を含むＴＳパケットに対して復号化処理を行い、音声信号を抽出し、抽出した音声信号をメインマイコン１０に出力する。データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータをメインマイコン１０に出力する。
【００２４】
ディスプレイ１３は、チューナ部１２によって受信されたＴＶ番組の映像や、ＨＤＭＩポート１８ａ〜１８ｄに入力された映像ストリームに基づく映像を表示する。スピーカ１４は、チューナ部１２によって受信されたＴＶ番組の音声や、ＨＤＭＩポート１８ａ〜１８ｄに入力された映像ストリームに基づく音声を出力する。
【００２５】
リモコン信号受信部１５は、リモコン２から受信した赤外線信号を電気信号に変換してメインマイコン１０に転送する。メモリ１６は、メインマイコン１０を動作させるためのプログラムや、ＥＩＴの内容に基づく番組情報等を格納している。
【００２６】
入力切換ボタン１７は、ユーザによって操作され、ディスプレイ１３に表示する映像に対応した映像ストリームの入力元のＢＤレコーダ４ａ〜４ｄを切り換えるための切換操作を行うものである。例えば、ユーザは入力切換ボタン１７を操作することにより、ディスプレイ１３に表示する映像を、ＨＤＭＩポート１８ａに入力された映像から、ＨＤＭＩポート１８ｃに入力された映像に切り換えることができる。
【００２７】
ＨＤＭＩポート１８ａ〜１８ｄの各々は、ＨＤＭＩケーブル３ａ〜３ｄを介して、ＢＤレコーダ４ａ〜４ｄと接続され、ＢＤレコーダ４ａ〜４ｄから入力された映像ストリームをサブマイコン１９ａ〜１９ｄに入力する。
【００２８】
サブマイコン１９ａ〜１９ｄの各々は、ＨＤＣＰ技術による認証処理を行うＨＤＣＰ認証部２０ａ〜２０ｄを有し、認証処理後の映像ストリームを映像処理マイコン２１に入力する。ＨＤＣＰ認証部２０ａ〜２０ｄの各々は、ＴＶ受像機１の起動完了後の通常動作時に、認証処理を常時行う。すなわち、ＨＤＣＰ認証部２０ａ〜２０ｄの各々は、ＨＤＣＰ技術を用いて、それぞれに対応するＢＤレコーダ４ａ〜４ｄの認証や、ＢＤレコーダ４ａ〜４ｄから入力された映像ストリームの復号化を行う。
【００２９】
映像処理マイコン２１は、複数のＢＤレコーダ４ａ〜４ｄの各々から複数のＨＤＭＩポート１８ａ〜１８ｄの各々を介して入力された映像ストリームの解像度を、所定の統一した解像度に変換すると共に、再構成した映像ストリームをメインマイコン１０に入力する処理（以下、画像データ処理という）を行う。映像処理マイコン２１は、サブマイコン１９ａ〜１９ｄのＨＤＣＰ認証部２０ａ〜２０ｄによるＨＤＣＰ認証処理後の映像ストリームに対して画像データ処理を行う。
【００３０】
メインマイコン１０は、入力切換ボタン１７を用いたユーザによる切換操作に応じて、映像ストリームの入力元のＨＤＭＩポート１８ａ〜１８ｄを切り換え、切換先のＨＤＭＩポート１８ａ〜１８ｄに接続されたＢＤレコーダ４ａ〜４ｄから入力された映像ストリームに基づく映像信号をディスプレイ１３に出力すると共に、この映像ストリームに基づく音声信号をスピーカ１４に出力する制御処理を行う。メインマイコン１０に入力される映像ストリームは、映像処理マイコン２１による画像データ処理によって統一した解像度に変換された映像ストリームである。
【００３１】
次に、ＴＶ受像機１のディスプレイ１３に表示する映像を切り換える映像切換処理の手順について、図２乃至図４を参照して説明する。図２は、映像切換処理の手順を示すフローチャートであり、図３は、複数のＢＤレコーダ４ａ〜４ｄから入力された映像ストリームの流れを示す図である。図４は、映像処理マイコン２１からメインマイコン１０に入力される映像ストリームの内容を示す。
【００３２】
ここでは、図３に示すように、ＢＤレコーダ４ａから解像度Ａ（４８０ｉ）の映像ストリームがＴＶ受像機１に入力され、ＢＤレコーダ４ｂ及びＢＤレコーダ４ｃから解像度Ｂ（７２０Ｐ）の映像ストリームがＴＶ受像機１に入力され、ＢＤレコーダ４ｄから解像度Ｃ（７２０ｉ）の映像ストリームがＴＶ受像機１に入力されているものとする。また、映像処理マイコン２１は、所定の統一した解像度Ｄとして「１０８０ｉ」が設定されているものとする。すなわち、映像処理マイコン２１は、解像度Ｄ（１０８０ｉ）に変換するものとする。また、ここでは、現在、ＢＤレコーダ４ａから入力された映像ストリームに基づく映像をディスプレイ１３に表示しているものとする。
【００３３】
まず、ユーザによって入力切換ボタン１７が操作され、ディスプレイ１３に表示する映像に対応した映像ストリームの入力元としてＨＤＭＩポート１８ｂ（ＢＤレコーダ４ｂ）に切り換える切換操作がされると（図２のＳ１）、メインマイコン１０は、映像処理マイコン２１に対して、ＨＤＭＩポート１８ｂの映像ストリームをメインマイコン１０に入力する旨の切換信号を送信する（Ｓ２）。
【００３４】
そして、映像処理マイコン２１は、メインマイコン１０から切換信号を受信すると（Ｓ３）、ＢＤレコーダ４ｂから入力された映像ストリームを受信するためにＨＤＭＩポート１８ｂを入力元に切り換えながら、この切り換えを行っている間に、黒画面の映像のストリームをメインマイコン１０に入力する処理を並行して行う（Ｓ４）。
【００３５】
そして、映像処理マイコン２１は、ＨＤＭＩポート１８ｂ（ＢＤレコーダ４ｂ）から入力された映像ストリームの解像度Ｂを解像度Ｄにアップスケールを行う画像データ処理を行う（Ｓ５）。
【００３６】
そして、映像処理マイコン２１は、解像度Ｄに変換された映像ストリームを用いて再構成した映像ストリームを、メインマイコン１０に入力し（Ｓ６）、メインマイコン１０は、映像処理マイコン２１による変換後の統一した解像度Ｄの映像ストリームに基づく映像信号を受信してディスプレイ１３に出力する（Ｓ７）。
【００３７】
上記Ｓ３〜Ｓ６の処理の間に、映像処理マイコン２１からメインマイコン１０に入力される映像ストリームＳは、図４に示すような構成である。図４中のｔ軸は時間を示す。映像処理マイコン２１からメインマイコン１０に入力される映像ストリームＳは１本であり、この映像ストリームＳがメインマイコン１０に入力されている。映像ストリームＳ１は、ＢＤレコーダ４ａから入力された映像ストリーム（解像度Ａ）を解像度Ｄに変換して再構成したものである。
【００３８】
映像処理マイコン２１は、図４中のｔ１の時点で、メインマイコン１０から切換信号を受信すると（上記Ｓ３に相当）、ｔ１１の間に、解像度Ｄの黒画面の映像の映像ストリームＳ２をメインマイコン１０に入力する（上記Ｓ４に相当）。なお、映像処理マイコン２１は、ｔ１１の間に、ＢＤレコーダ４ｂから入力された映像ストリームを受信するためにＨＤＭＩポート１８ｂを入力元に切り換える処理も行う（上記Ｓ４に相当）。
【００３９】
そして、映像処理マイコン２１は、ｔ２の時点から、ＢＤレコーダ４ｂから入力された映像ストリームの解像度Ｂを解像度Ｄにアップスケールを行う画像データ処理（上記Ｓ５に相当）によって、解像度Ｄに変換した映像ストリームＳ３をメインマイコン１０に入力する（上記Ｓ６に相当）。
【００４０】
上述したように、本実施形態に係るＴＶ受像機１においては、メインマイコン１０は、一つの映像処理マイコン２１によって所定の統一した解像度Ｄに変換された映像ストリームに基づく映像信号を受信してディスプレイ１３に出力する。そのため、メインマイコン１０は、入力元のＢＤレコーダ４ａ〜４ｄを切り換える際であっても、異なる映像ストリームを受信せず、１つの映像処理マイコン２１によって変換された１本の映像ストリームを常に受信するので、入力元の映像ストリームの切換時に必要となる映像ストリームの同期を取る処理を行う必要がなくなる。また、メインマイコン１０は、入力元のＢＤレコーダ４ａ〜４ｄを切り換える際に、解像度を変換する処理を行う必要もなくなる。従って、映像ストリームの入力元のＢＤレコーダ４ａ〜４ｄを切り換える際に、切り換え後の映像をディスプレイ１３に迅速に表示することができ、ＨＤＭＩポート１８ａ〜１８ｄの切換時間を十分に短くすることができる。
【００４１】
また、ＴＶ受像機１においては、複数のＨＤＣＰ認証部２０ａ〜２０ｄが、ＴＶ受像機１の起動完了後の通常動作時に、複数のＢＤレコーダ４ａ〜４ｄの各々の認証を常時行う。そして、一つの映像処理マイコン２１は、ＨＤＣＰ認証部２０ａ〜２０ｄによる認証処理後において複数のＢＤレコーダ４ａ〜４ｄの各々から入力された映像ストリームの解像度を変換する画像データ処理を行う。そのため、従来のように、映像ストリームの入力元のＢＤレコーダ４ａ〜４ｄの切換が行われた時点から認証処理を開始する場合と異なり、映像ストリームの入力元のＢＤレコーダ４ａ〜４ｄを切り換える際において、認証処理が不要となり、切換後の映像をディスプレイ１３に迅速に表示することができ、切換時間を十分に短くすることができる。
【００４２】
また、ＴＶ受像機１、及び複数のＢＤレコーダ４ａ〜４ｄは、ＨＤＭＩ−ＣＥＣ規格に従ったＣＥＣコマンドの送受信を行うので、独自プロトコルに対応した専用機器や専用ソフトウェア等の導入コストをかける必要がない。従って、ＴＶ受像機１の製造コストを抑制することができる。
【００４３】
なお、本発明は、上記実施形態の構成に限られず、発明の趣旨を変更しない範囲で種々の変形が可能である。例えば、上記実施形態において、請求項に示す表示装置がＴＶ受像機である例を示したが、これに限られず、ＨＤＭＩ規格に対応した表示装置であればよい。
【００４４】
また、請求項に示す外部機器がＢＤレコーダである例を示したが、ＨＤＭＩ規格に対応し、映像ストリームを他の機器に入力可能な外部機器であればよい。
【符号の説明】
【００４５】
１  ＴＶ受像機（表示装置）
１０  メインマイコン（メイン制御手段）
１３  ディスプレイ（表示手段）
１７  入力切替ボタン（切換操作手段）
２１  映像処理マイコン（解像度変換手段）
４ａ〜４ｄ  ＢＤレコーダ（外部機器）
１８ａ〜１８ｄ  ＨＤＭＩポート（外部接続手段）
１９ａ〜１９ｄ  サブマイコン（認証手段）
【図１】
2012222802.tif 000003
【図２】
2012222802.tif 000004
【図３】
2012222802.tif 000005
【図４】
2012222802.tif 000006
【図５】
2012222802.tif 000007